(57)【要約】【課題】  生ゴミなどを投入しやすく、袋を有効活用することができるゴミ容器の袋保持具を提供する。【解決手段】  袋保持具１０は、ゴミ容器１４の側面に対して、ホルダ２６によってスライド可能かつ着脱可能なポール２０と、該ポール２０に対して取付具４０を介してスライド可能かつ着脱可能に設けられたリング３０により構成される。リング３０は、スライダ３６の移動により口径の調節が可能であり、取付具４０の受部４８により流し台１２に対して略水平に維持される。また、リング３０は、ピン４６を支点として持ち上げが可能となっている。袋５０の開口部５２をリング上縁３０Ａに掛け、開口部５２の大きさに合わせて口径を調節し、更に、ポール２０とリング３０をスライドさせて高さを調節し、所望の位置で固定すると、袋５０の開口部５２が安定するとともに、袋５０を立てた状態を維持することができる。【選択図】図１
2005035752.tif 000002
【特許請求の範囲】
【請求項１】
流し台などの略水平面に設置されるゴミ容器用の袋保持具であって、
前記ゴミ容器の側面に設けられたホルダ，
該ホルダによって前記ゴミ容器の側面に着脱可能に取り付けられるとともに、前記ゴミ容器の設置面に対して略垂直になるように設けられた略棒状の支持体，
該支持体に対して着脱可能に設けられており、前記ゴミ容器に設けられる袋の開口部を内側から外側へ折り返した状態で保持するとともに、前記設置面に対して略水平に設けられた略環状の保持手段，
を備えたことを特徴とするゴミ容器の袋保持具。
【請求項２】
前記保持手段が、前記支持体に対して着脱可能な取付手段によって、前記設置面に対して略水平状態を保つように支持されることを特徴とする請求項１記載のゴミ容器の袋保持具。
【請求項３】
前記保持手段が、前記支持体に対して上下にスライド可能であるとともに、該支持体に対する位置を固定可能であることを特徴とする請求項１又は２記載のゴミ容器の袋保持具。
【請求項４】
前記支持体が、前記ゴミ容器の側面に対して上下にスライド可能であるとともに、該ゴミ容器の側面に対する位置を固定可能であることを特徴とする請求項１〜３のいずれかに記載のゴミ容器の袋保持具。
【請求項５】
前記保持手段の開口の大きさが調節可能であることを特徴とする請求項１〜４のいずれかに記載のゴミ容器の袋保持具。
【請求項６】
前記保持手段が、前記支持体との取付側を支点として、前記設置面に略水平な状態と、前記支点の反対側を上に向けた略垂直状態との間で回動可能であることを特徴とする請求項１〜５のいずれかに記載のゴミ容器の袋保持具。
【発明の詳細な説明】
【技術分野】
【０００１】
本発明は、流し台などで利用されるゴミ容器用の袋保持具に関するものである。
【背景技術】
【０００２】
従来より、流し台やシンクには、三角コーナーなどのゴミ容器が置かれているが、生ゴミの取り出し易さや衛生面を考慮して、ゴミ容器の内側に袋を取り付けて使用されることが多くなっている。このようなゴミ袋としては、ゴミ容器専用のものがあるが、一般的には、薄くて丈夫であり、かつ、柔軟性も有しているスーパーなどで利用されるポリ袋を利用すると、手軽でコストもかからないため合理的である。
【発明の開示】
【発明が解決しようとする課題】
【０００３】
しかしながら、スーパーなどのポリ袋は、角袋のみならず、厚みを持たせない構造の平袋もある。平袋の場合、サイズによっては開口部にゆとりがなく、ゴミ容器の上端の縁を覆うように内側から外側に広げてきれいに折り返して取り付けることができないものもある。このような場合、袋の開口部を広げただけでゴミ容器内に置くことになるが、使用中に袋の開口部が生ゴミに押し潰されることがあり、開口部が不安定で生ゴミを入れづらいという問題がある。また、ポリ袋自体が柔らかくこしがないため、袋を立たせた状態を維持することが困難であり、効率よくゴミを入れることができず、実際のゴミ袋の容量よりも少ない量のゴミしか入らないことがあるという不都合もある。
【０００４】
この発明は、以上の点に着目したもので、生ゴミなど（乾燥したゴミも含む）を投入しやすく、袋を有効活用することができるゴミ容器の袋保持具を提供することを、その目的とするものである。
【課題を解決するための手段】
【０００５】
前記目的を達成するため、本発明は、流し台などの略水平面に設置されるゴミ容器用の袋保持具であって、前記ゴミ容器の側面に設けられたホルダ，該ホルダによって前記ゴミ容器の側面に着脱可能に取り付けられるとともに、前記ゴミ容器の設置面に対して略垂直になるように設けられた略棒状の支持体，該支持体に対して着脱可能に設けられており、前記ゴミ容器に設けられる袋の開口部を内側から外側へ折り返した状態で保持するとともに、前記設置面に対して略水平に設けられた略環状の保持手段，を備えたことを特徴とする。
【０００６】
主要な形態の一つは、前記保持手段が、前記支持体に対して着脱可能な取付手段によって、前記設置面に対して略水平状態を保つように支持されることを特徴とする。他の形態は、前記保持手段が、前記支持体に対して上下にスライド可能であるとともに、該支持体に対する位置を固定可能であることを特徴とする。更に他の形態は、前記支持体が、前記ゴミ容器の側面に対して上下にスライド可能であるとともに、該ゴミ容器の側面に対する位置を固定可能であることを特徴とする。更に他の形態は、前記保持手段の開口の大きさが調節可能であることを特徴とする。更に他の形態は、前記保持手段が、前記支持体との取付側を支点として、前記設置面に略水平な状態と、前記支点の反対側を上に向けた略垂直状態との間で回動可能であることを特徴とする。本発明の前記及び他の目的，特徴，利点は、以下の詳細な説明及び添付図面から明瞭になろう。
【発明の効果】
【０００７】
本発明は、ゴミ容器の側面に設けたホルダによって、前記ゴミ容器を設置する流し台などの略水平面に対して略垂直となるように略棒状の支持体を取り付け、該支持体に、流し台などの水平面に対して略水平となるように略環状の保持手段を設けることとした。そして、前記保持手段の縁に、袋の開口部を内側から外側へ折り曲げて保持させることとしたので、袋の開口部が安定しゴミを入れやすくすることができる。また、袋を立てるように取り付けるため、袋の容量に応じてゴミを蓄積することができ、袋を有効活用することができる。更に前記支持体と保持手段を取り外し可能としたので、洗いやすく衛生的に保つことができるとともに、収納状態で場所をとることがない。また、前記保持手段を前記流し台などに対して略水平の状態から略垂直の状態まで持ち上げ可能としたので、袋の交換を容易に行うことができる。
【発明を実施するための最良の形態】
【０００８】
以下、本発明を実施するための最良の形態を、いくつかの実施例に基づいて詳細に説明する。
【実施例１】
【０００９】
最初に、図１及び図２を参照して、本発明の実施例１について説明する。図１（Ａ）は本実施例の分解斜視図，同図（Ｂ）は使用状態を示す図である。図２（Ａ）は、リングの口径調節の様子を示しており、前記図１（Ａ）を矢印Ｆ６方向から見た平面図，同図（Ｂ）及び（Ｃ）は、仮収納の様子を示す図である。本実施例の袋保持具１０は、これらの図に示すように、流し台１２の底面に設置された三角コーナーなどのゴミ容器１４に取り付けられ、該ゴミ容器１４の内側に設けられるゴミ袋（以下「袋」とする）５０の開口部５２を安定させるものである。
【００１０】
袋保持具１０は、ゴミ容器１４の側面１６Ａ〜１６Ｃのいずれかに取り付けられるポール２０と、該ポール２０を支持するホルダ２６，前記ポール２０に取付具４０を介して設けられたリング３０により構成されている。本形態の袋保持具１０を取り付ける位置は、ゴミ容器１４の側面１６Ａ〜１６Ｃのいずれであってもよいが、図示の例では、側面１６Ａと１６Ｂの境目の縁１８寄りの位置に取り付けられている。
【００１１】
まず、ポール２０は、断面略楕円形の棒状体であって、その上端２２及び下端２４は、中央付近よりも断面積が大きくなるように形成されている。一方、ゴミ容器１４には、前記ポール２０を立設するためのホルダ２６が設けられている。ホルダ２６は、断面が前記ポール２０の上端２２及び下端２４側と略同一形状であって上下が開放している。そして、前記ポール２０を断面形状が合う状態で差し込むことができ、かつ、簡単に抜けることがないような大きさに設定されている。該ホルダ２６は、本例では、接着剤２８によりゴミ容器１４に固定されているが、両面テープ，ビス，吸盤等で固定するようにしてもよい。なお、ポール２０の下端２４は、ホルダ２６に収納されているときに、ポール２０がぐらつかずに、より垂直に近い状態を維持することができるように、中央部分との断面寸法差を大きくとらず、ホルダ２６とポール２０の中央部分との隙間を小さくすると都合がよい。
【００１２】
このようなホルダ２６に支持されたポール２０は、図１（Ｂ）に矢印Ｆ５で示すように上下にスライド可能であり、下端２４がホルダ２６内に収納されている範囲内で細かく高さを調節することができる。このとき、ポール２０のスライド可能範囲及び位置固定可能範囲は、ホルダ２６の長さと取付位置に左右される。例えば、ゴミ容器１４の高さを１５ｃｍ，ホルダ２６の長さを５ｃｍ，ポール２０の長さを１６ｃｍとする。この場合、ホルダ２６を図１に示すようにゴミ容器１４の側面上部に取り付けるとすると、ポール２０の上端２２をホルダ２６の上端から１ｃｍ出した場合と、下端２４をホルダ２６の上端から例えば１ｃｍの位置で残すと仮定した状態との間で、ポール２０はスライド可能となる。
【００１３】
更にこのうち、下端２４が、ホルダ２６の上端から１ｃｍの位置と下端までの位置に収まっている場合（すなわち、ポール２０の上端２２が、流し台１２から２６ｃｍ〜３０ｃｍの位置にある場合）が、細かくポール２０の高さを調節可能な範囲である。これに対し、ホルダ２６をゴミ容器１４の下部に設けるとすると、ポール２０は、上端２２が流し台１２から１６ｃｍ〜２０ｃｍの範囲内での高さ調節となるため、使用する袋５０のサイズによっては適当でない場合がある。また、実際には、ポール２０の下端２４を、ある程度深くホルダ２６内に差し込むことによりポール２０は垂直に安定するため、高さ調節範囲はより狭くなる。
【００１４】
以上のことから、ホルダ２６は、ポール２０を高い位置で高さ調節可能にするためにゴミ容器１４の側面の上部に、流し台１２に対してポール２０が略垂直に立設するように設置するのが好ましい。また、その長さが長いほど、ポール２０の高さ調節範囲が広がるとともに、ポール２０を深く差し込むことができるため、略垂直により安定させることができる。また、ポール２０は、一番下まで下げたときに、下端２４が流し台１２につかないように予め長さを設定しておくと、下端２４が汚れるなどの不具合を軽減することができる。このようなポール２０及びホルダ２６の長さ，形状，取付位置は一例であり、必要に応じて適宜変更してよい。
【００１５】
例えば、ゴミ容器１４の高さ，ホルダ２６の長さ，ポール２０の長さが上述した一例通りであり、ホルダ２６をゴミ容器１４の側面上部に取り付けた場合では、前記ポール２０の上端２２は、ポール２０を一番下まで下げたときに下端２４が流し台１２に接するのを防止する役割を果たしているが、ポール２０を一番下まで下げたときに上端２２がホルダ２６に触れない程度にポール２０が長い場合には、必ずしも上述した形状の上端２２を設けなくてもよい（図２（Ｃ）参照）。
【００１６】
この場合、ポール２０を一番下まで下げたときにホルダ２６の上端付近に相当する位置（例えばポール２０の中央部分）に、前記上端２２と断面略同一形状・寸法の膨らみ部をポール２０に設ける，あるいは、ホルダ２６をゴミ容器１４の側面下部に設置するかゴミ容器１４の側面と同程度の長さとした上で、下端２４が流し台１２につかないように調節するとよい。なお、図２（Ｃ）のようにする場合、ホルダ２６の下部からポール２０の上部を差し込むようにするとともに、後述する取付具４０の挿通部４２は、ポール２０の上部の断面と略同一形状、かつ、若干大きくなるように形成する。また、ポール２０を一番下まで下げたときに、ホルダ２６の上端からポール２０の上端２２（上端２２がない場合には上部）を出すことによって、持ちやすくなりポール２０の引き上げが容易になる。
【００１７】
次に、リング３０について説明する。リング３０は、ゴミ容器１４内に設けられる袋５０の開口部５２を開いた状態で保持するためのものであって、本実施例では、一本の細長い板状体を環状に曲げて、その両端側を重ね合わせることにより形成されている。図２（Ａ）に示すように、該リング３０の一方の端部３２は、リング３０の側面に対して略垂直となるように外側に向けて折り曲げられており、その折り曲げた部分の根元近傍が、外側に広がらないように押え具３４により押えられている。該押え具３４は、リング３０の重なり部分を内側と外側から挟み込む構造となっており、リング３０の重なり部分の内側のみがスライド可能となるように、重なり部分の外側にのみ固定されている。
【００１８】
更に、リング３０の他方の端部３３は、リング３０の重なり部分を内側と外側から挟み込むスライダ３６に固定されている。該スライダ３６は、リング３０の重なり部分の外側に対してのみスライド可能となるように、重なり部分の内側にのみ固定されている。このため、図１（Ａ）及び図２（Ａ）に矢印Ｆ２で示すように、スライダ３６を左右方向に動かすと、一方の端部３２に対して、他方の端部３３がスライダ３６とともに左右に移動するため、リング３０の口径を調節することができる。このようなリング３０の最大口径は、袋保持具１０へかかる負担を少なくし、袋５０を安定することができるよう、ゴミ容器１４の縁１８と同等程度の大きさが望ましい。なお、これら押え具３４及びスライダ３６によるリング３０の挟み具合は、緩めに設定しておくとスライドがスムーズになり口径調節がしやすくなる。
【００１９】
次に、上述したリング３０を、前記ポール２０に取り付けるための取付具４０について説明する。取付具４０は、前記ポール２０を挿通するための環状の挿通部４２と、前記リング３０の端部３２を両側から挟んで固定する把持部４４，前記リング３０の下縁３０Ｂを受ける受部４８が一体となった構成となっている。該受部４８は、後述するように、取付具４０によってリング３０をポール２０に取り付けたときに、リング３０が略水平状態を保つことができるように、挿通部４２側に向けて深くなる傾斜面となっている。なお、受部４８の傾斜は必要に応じて設ければよく、傾斜の程度も適宜変更してよい。前記リング３０の端部３２を前記把持部４４で両側から挟んでピン４６で固定すると、該ピン４６を支点としてリング３０を図１（Ｂ）に矢印Ｆ３で示す方向に持ち上げることができる。なお、リング３０の下縁３０Ｂが前記受部４８に当接するため、リング３０を下げることはできない。
【００２０】
また、前記挿通部４２は、前記ポール２０の上端２２側の断面と略同一形状で、かつ、若干大きく形成されており、力が加わったときに若干変形が可能な材質で構成されている。例えば、変形前の状態では、挿通部４２の長径Ｗ１は、ポール上端２２の楕円の長径Ｗ３よりも若干大きくなるように設定されている。また、挿通部４２の短径Ｗ２は、ポール２０の中央部分の長径Ｗ４よりも小さく設定されている。このような取付具４０は、挿通部４２とポール上端２２の形状が一致するように向きを合わせて、挿通部４２をポール２０の上方から外挿し、図１（Ａ）に矢印Ｆ１で示す方向にスライドさせて高さを調節し、所望の高さで同図に矢印Ｆ４で示すように９０°回転させて向きを変えると、挿通部４２の長径部分内側とポール２０の短径部分の両端が接触し、摩擦によって固定される。なお、前記ポール２０の上端２２は、後述するように、リング３０が極端に斜めに下がらないようにするために、中央部分との断面寸法差を少なくし、ポール２０の中央部分と取付具４０の挿通部４２との隙間を小さくするとよい。
【００２１】
以上の袋保持具１０を構成する各部は、公知の各種の材料で形成することができるが、軽量かつ防水性，耐水性，耐久性があるプラスチック類などで構成すると、使い勝手，寿命，衛生などの面から好都合である。特に、ポール２０，ホルダ２６，取付具４０の挿通部４２については、各部同士を摩擦により固定していることから、互いに滑りにくい性質を有する材料を用いるとよい。また、例えば、アルミニウム等の金属製のピン，押え具，ビス等を利用して、前記各部を強化ないし補強するようにしてもよい。
【００２２】
次に、本実施例の作用を説明する。まず、リング３０がゴミ容器１４上にくるよう、ホルダ２６の広い面をゴミ容器１４の側面に向けて取り付け、ポール２０の下端２４をホルダ２６の上から形状を合わせて差し込む。なお、下端２４は、使用状態においては上端２２よりもゴミの重さがかかって負担が大きいため、ホルダ２６に対して簡単に動くことがないよう、上端２２よりも若干断面寸法を大きくし、摩擦による固定力を強くするようにしてもよい。この場合は、ポール２０の上端２２を、ホルダ２６の下端から形状を合わせて差し込むようにする。いずれかの方法でポール２０を取り付けたら、次に、リング３０を矢印Ｆ３方向に回動可能に固定した取付具４０を、上述したようにポール２０の上端２２側から差し込んで取り付け、適宜の高さで矢印Ｆ４方向に回転させて、リング３０がゴミ容器１４上に位置するように固定する。このとき、リング３０は、流し台１２に対して略水平になるように設置されるが、必要に応じて、生ゴミの重さでリング３０が下がらないように、受部４８に上述したような傾斜を設け、取付具４０と反対側の位置を若干高めに設けるようにしてもよい。
【００２３】
以上のようにして袋保持具１０をゴミ容器１４に取り付けたら、リング３０の中に袋５０を上から通してゴミ容器１４の内側に入れる。そして、袋５０の開口部５２を外側へ広げ、スライダ３６を左右に動かしてリング３０の大きさを調節しながら、袋５０をリング３０の上縁３０Ａに掛けるように外側に折り被せ、開口部５２を安定させる。開口部５２を安定させたら、袋５０の底面がゴミ容器１４の底面につくように、ポール２０を矢印Ｆ５に示す方向にスライドさせて高さを微調節する。また、高さを大幅に調節する必要がある場合には、一旦取付具４０をポール２０に対してスライド可能となるように矢印Ｆ４の逆方向に回転し、その後、取付具４０をポール２０に対して矢印Ｆ１方向にスライドさせて高さ調節する。高さが決定したらリング３０がゴミ容器１４上に位置するように、再度矢印Ｆ４方向に回転させる。この状態で、リング３０の位置が高すぎたり低すぎたりするようであれば、ポール２０の下端２４をホルダ２６内でスライドさせて微調整を行う。
【００２４】
以上のようにして開口部５２と高さが安定された袋５０は、生ゴミなどの投入時も形状が安定しているため、ゴミを入れやすい。また、袋５０を立てるように取り付けているため、袋５０の容量に応じて、ある程度の量のゴミを蓄積することができ、袋５０を有効に活用することができる。なお、袋５０としては公知の各種の袋が適用可能であるが、本実施例では、ゴミ容器１４の縁１８に直接折り返すことができないような、スーパー等で使用されるポリ袋（平袋）を利用しているものとする。
【００２５】
袋５０がゴミでいっぱいになったら、リング３０を矢印Ｆ３で示す上方に持ち上げることにより、容易に袋５０を取り外すことができる。取り外した袋５０は開口部５２を結ぶか、あるいは、そのままの状態で防水袋等に入れて廃棄する。このとき、開口部５２が流し台１２よりも高い位置に固定されているほど水跳ねなどが少なく、廃棄時の不快感を軽減することができる。新しい袋５０を取り付けるときは、リング３０を矢印Ｆ３に示す下方に下ろして流し台１２に対して略水平の状態に戻し、上述した手順により取り付けを行う。
【００２６】
使用を続けて汚れが付着したときには、リング３０，ポール２０など各部を取り外して洗うことにより衛生状態を良好に保つことができる。また、一時的に流し台１２を広く使いたい場合などには、図２（Ｂ）に示すように、ポール２０から取付具４０及びリング３０を取り外すとともに、ポール２０を最低位置まで下ろし、取り外したリング３０をポール２０の上端２２（上部）側に掛けるようにすると、場所をとらなくなる。また、長期間使用しない場合には、これら取り外したポール２０やリング３０を、他の場所に収納して保管するようにしてもよい。更に、ポール２０が長めに形成されている場合には、図２（Ｃ）に示すように、仮収納の状態で、ポール２０の上部に、ペットボトル５６の開口部を差し込むと、場所をとることなく水切りすることができる。このほか、使用済みの缶詰などを掛けて水切りするようにしてもよい。なお、同図（Ｃ）に示した例は、ポール２０が長めに形成されている場合であるが、同図（Ｂ）に示す長さの場合でも、ポール２０を高い位置で固定しておくことにより、同様に使用することができる。もちろん、リング３０を取り外しせずに、ポール２０の上端２２にペットボトル５６や空き缶などの水切りするものを掛けるようにしてもよいし、リング３０をポール２０から取り外し、ポール２０のみの状態で水切りをするようにしてもよい。
【００２７】
このように、実施例１によれば、次のような効果が得られる。
(1)ゴミ容器１４の側面に、流し台１２に対して略垂直にポール２０を設け、その上端側からリング３０を外挿して略水平状態に設けるとともに、該リング３０の縁に袋５０の開口部５２を内側から外側へ折り曲げて保持させることとしたので、袋５０の開口部５２が安定し、ゴミを入れやすくなる。また、袋５０を立てるように取り付けるため、袋５０の容量に応じてゴミを蓄積することができ、袋を有効活用することができる。更に、各部を取り外し可能としたので、洗いやすく衛生的に使用することができるとともに、使用しない時の保管に場所をとることがない。
(2)前記リング３０の口径を調節可能としたので、ゴミ容器１４のサイズに合う袋５０であれば、開口部５２を適度な大きさに広げて使用することができる。
(3)前記ポール２０をホルダ２６に対して上下にスライド可能とするとともに、前記ポール２０に対してリング３０を上下にスライド可能としたので、袋５０の大きさに合わせて開口部５２を固定する高さを細かく調節することができる。また、双方の調節によって高さ調節範囲が広がるため、ホルダ２６やポール２０の長さを変更した場合でも、対応が可能である。
(4)前記リング３０を流し台１２に対して略水平の状態から略垂直の状態まで持ち上げ可能としたので、袋５０の交換が容易である。
【実施例２】
【００２８】
次に、図３を参照して、本発明の実施例２について説明する。図３（Ａ）は本実施例の主要部を示す斜視図，同図（Ｂ）はポールに対するリングの固定機構を示す図である。同図（Ｃ）は前記（Ａ）を矢印Ｆ７方向から見た平面図である。なお、上述した実施例１と同一ないし対応する構成要素には同一の符号を用いることとする。同図に示すように、本実施例の袋保持具６０も、前記実施例１と同様に、ゴミ容器１４の側面に略垂直方向に設置されるポール６２，該ポール６２を支持するホルダ７０，前記ポール６２に対して上下にスライド可能であり、任意の高さで固定可能であるリング８０とその取付具９０により構成されている。
【００２９】
まず、本実施例２では、ポール６２は細長い角柱状であって、下端６４は上方に向けて折り返した板バネ状に形成されており、その折り曲げ部の先端には凸部６６が形成されている。該凸部６６は、下端６４の板バネ状の先端を外側へ向けて折り曲げたような斜面状（すなわち、ポール６２の上端６３側へ向けて尖った斜面状）に形成されており、その下端側は、ポール６２の軸方向と略直交する方向に切り落とされた係止面６８を形成している。また、前記板バネ部分の厚みはポール６２本体よりも薄く形成されており、凸部６６も、ポール６２本体に押し付けた状態において、後述するホルダ７０内に収納可能な大きさに設定されている。一方、ゴミ容器１４側面に設けられたホルダ７０は、断面が前記ポール６２の上端６３側と略同一形状かつ若干大きく形成されており、前記ポール６２が収納可能となっている。また、ホルダ７０の上端７４側には、前記ポール６２の凸部６６を嵌めることができる形状・寸法の窓７２が設けられている。
【００３０】
このようなホルダ７０に対するポール６２の取付けは、ホルダ７０の上端７４側からポール６２の板バネ状の下端６４を差し込み、凸部６６を指で押し込むようにしてホルダ７０内に収納する。そして、凸部６６を窓７２に納めると、ポール６２の高さが固定される。このようにポール６２をホルダ７０に差し込む場合、ホルダ７０の上部から入れるようにすると、ゴミ容器１４を持ち上げる必要がなく取り付けやすいが、ホルダ７０の下部からポール上端６３を挿通することを妨げるものではない（前記実施例１も同様）。なお、上述したような窓７２を複数形成し、段階的にポール６２の高さを調節・固定するようにしてもよい。例えば、ホルダ７０をゴミ容器１４の側面と同程度の長さとし、ポール６２の下端６４が流し台などにつかないように最低位置にも窓７２を設けるなどである。ポール６２を動かすときには、凸部６６を指で押し込み、上下のいずれかの方向に移動させるようにする。なお、このように高さ調整・固定をする場合、上述した実施例１と同様に、ホルダ７０を長めにすると、スライドがしやすくポール６２がより安定する。
【００３１】
次に、リング８０及びその取付具９０について説明する。リング８０は、基本的には、上述した実施例１と同様の構成となっており、一本の細長い板状体を環状に曲げて、その両端側を重ね合わせて形成されている。該リング８０の一方の端部８２は、リング８０の側面に対して略垂直となるように外側に向けて折り曲げられており、その先端部分には、前記角柱状のポール６２の面と当接する当接面８３が形成されている。なお、後述するように、該当接面８３とポール６２の正面との接触時の摩擦により高さを維持するために、端部８２は、リング８０を水平にしたときに、当接面８３がポール６２の正面に接するような長さに予め設定されている。また、折り曲げられた部分の根元近傍が、押え具８５によって、リング８０の内側のみがスライド可能となるように押えられている。また、他方の端部８４は、幅が広く形成されており、該幅広の部分をリング８０の重なり部分の外側へ折り返すことよって、リング８０の口径を調節するためのスライダ８６が形成されている。なお、リング８０の最大口径は、前記実施例１のリング３０と同様に、袋保持具６０に負担がかからないように、ゴミ容器１４の縁１８と同等程度の大きさが望ましい。
【００３２】
取付具９０も、基本的には前記実施例１の取付具４０と同様の構成であるが、挿通部９２の形状は、図３（Ｃ）に示すように、ポール６２を挿通することができ、かつ、リング８０を水平状態にしたときの当接面８３の厚みも考慮した断面形状及び寸法となるように形成されている。そして、前記挿通部９２，リング８０の端部８２を挟んで固定する把持部９４，リング８０の下縁を受ける受部９８が一体となった構成となっている。また、前記把持部９４は、リング８０の端部８２が回動可能となるように、端部８２を挟んだ状態でピン９６で固定されている。リング８０の水平維持機構については前記実施例１と同様である。
【００３３】
次に、このような構成のリング８０及び取付具９０の高さ調節機構について説明する。まず、リング８０の端部８２を取付具９０の把持部９４で挟み、ピン９６で回動可能に固定する。リング８０に取付具９０を固定したら、図３（Ｂ）に示すように、ホルダ７０によって立設されたポール６２の上端６３（上部）に、リング８０を略垂直に立てた状態で取付具９０の挿通部９２を外挿する（矢印Ｆ８）。このとき、同図に示すように、リング８０の端部８２及び当接面８３は下向きとなっており、ポール６２の挿通を妨げることがない。取付具９０及びリング８０を徐々に下ろし、所望の位置に達したら、取付具９０の位置がずれないように支えながら、リング８０を略水平に倒す(矢印Ｆ９)。すると、リング８０の端部８２も水平になり、その先端に設けられた当接面８３がポール６２の正面に接し（図３（Ｃ）参照）、摩擦によってリング８０及び取付具９０の高さが固定される。
【００３４】
本実施例２の作用・効果は上述した実施例１と基本的に同様であるが、本実施例では、ホルダ７０に対するポール６２の高さ調節範囲が前記形態よりも限られているため、ポール６２に対するリング８０の位置を調節して、細かく高さ調節をするようにする。
【００３５】
なお、本発明は、上述した実施例に限定されるものではなく、本発明の要旨を逸脱しない範囲内において種々変更を加え得ることができる。例えば、以下のものも含まれる。
(1)前記実施例におけるゴミ容器１４，袋保持具１０（６０）を構成する各部の形状，大きさ，材質は一例であり、必要に応じて適宜変更可能である。また、色彩や模様のデザインも、好みに応じて適宜変更してよい。例えば、リング３０（８０）については、完全な円形であるとスライド時に押え具３４（８５）とスライダ３６（８６）への負担を最小にすることができるが、これに限定されるものではなく、緩やかな角が設けられた多角形状としてもよいし楕円状としてもよい。この場合、押え具３４（８５）及びスライダ３６（８６）を、リング３０（８０）の重なり部分をホールドする断面略４角形状の枠状部材とし、それぞれの通し穴を大きめに設定するようにすると、負担が少ないスムーズなスライドが可能となる。
【００３６】
また、前記実施例では、一本の細長い板状体を利用してリング３０（８０）を形成したが、円柱体や角柱体，板状体の角が面取りされているもの，丸みを帯びているものなどを利用するようにしてもよい。更に、リング３０（８０）として硬い材質のものを利用すると、環状にしたときに元に戻る（最大口径に戻る）力が働くため、リング３０（８０）の最大口径よりも開口部が小さい袋を取り付ける場合には、常に開口部が張り、ずれ落ち難くなるため好都合である。なお、このときは、押え具やスライダとして、しっかりとしたスライドのしやすいものを用いるとよい。また、いずれの場合であっても、袋５０を取り付けるときに、リング３０（８０）で折り返しする長さを多めにとると、開口部５２がより安定し使い勝手がよい。
【００３７】
更に、前記実施例２の当接面８３の形状も任意であり、図４（Ａ）に示すように、リング８０の端部８２を折り曲げて形成するようにしてもよい。また、前記実施例で示したスライダ３６（８６）も一例であり適宜変更可能である。例えば、図４（Ｂ）に示すスライダ８８には、リング８０が略水平状態にあるときに下向きとなるようなつまみ８８Ａが延設されている。該つまみ８８Ａを設けることにより、口径調節時のスライド動作をよりスムーズに行うことができる。更に、図４（Ｃ）に示すスライダ８９のように、リング８０の一部をスライダとして形成してもよい。そして、スライダ８９の上部を上方に伸ばし、外側に折り曲げて、先端がリング８０よりも下にくるようにすると、つまみになりスライドがしやすい。押え具３４（８５）についても同様であり、同様の効果を奏するように適宜変更可能である。
【００３８】
(2)ゴミ容器１４へのポール２０（６２）の取付機構，ポール２０（６２）への取付具４０（９０）の取付機構，取付具４０（９０）へのリング３０（８０）の取付機構なども一例であり、同様の効果を奏するように適宜変更してよい。また、取付具４０（９０）によるリング３０（８０）の水平維持機構も一例であり、同様の効果を奏するように適宜変更してよい。
【００３９】
(3)前記実施例では、袋保持具１０（６０）にのみ袋５０を設けることとしたが、図５（Ａ）に示すように、袋５０とは別に、ゴミ容器１４自体に他の袋５４を設けることにより、ゴミ容器１４内でゴミの分別を行うようにしてもよい。リング３０（８０）の口径を調節することで、ゴミの分別量に応じて袋５０の開口の大きさを調整することができる。また、更に、袋５０に軽いゴミを入れるようであれば、袋５０のサイズや使用状況に応じて、該袋５０の底がゴミ容器１４の底面につかなくてもよい。この場合、開口部５２をクリップなどの留め具で固定すると、より確実に袋５０の抜け落ちを防止することができる。更に、リング３０（８０）をゴミ容器１４の外側に向けて袋５０を取り付けるとともに、ゴミ容器１４自体に袋５４を設けることにより、ゴミ容器１４の内側と外側でゴミを分別するようにしてもよい。
【００４０】
(4)前記ポール２０（６２）のスライド機構及び高さ固定機構も一例であり、同様の効果を奏するように適宜設計変更してよい。例えば、図５（Ｂ）に示すように、ポール２０の下部，あるいは、ポール２０の下部からスライド最低位置まで略等間隔で複数の凸部２５を設け、ホルダ２６の内側に、前記凸部２５と同間隔で凹部２７を設けることにより、これらを嵌め合せてポール２０の高さを段階的に決定するようにしてもよい。この他にも、携帯電話やラジオのアンテナのようなスライド機構で高さ調節できるようなものであってもよい。更に、図５（Ｃ）に示すように、ゴミ容器１４の側面にクリップ５８を任意の手段で取り付け、該クリップ５８によってポール５９を挟むことにより、容易にポール５９の立設及び高さ調節が可能となる。また、リング３０（８０）の口径調節機構も同様に、適宜設計変更可能である。
【００４１】
(5)前記リング３０（８０）のスライド機構及び高さ固定機構も同様の効果を奏するように適宜変更してよい。例えば、図５（Ｄ）に示す例では、角柱状のポール１００に、クリップ１０６等の留め具を挟み、その上から取付具１０２及びリング３０（８０）を被せることによって、前記クリップ１０６により取付具１０２及びリング３０（８０）を支持している。前記取付具１０２の挿通部１０４の形状は、前記ポール１００の断面と略同一形状かつ若干大きく形成されており、ポール１００に外挿可能となっている。このような機構では、クリップ１０６を上下に移動するだけで、流し台１２などの略水平面に対してリング３０（８０）を略平行に保ちながら場所をとらずに高さを調節することが可能となる。なお、リング３０（８０）が簡単にずれ落ちてこないように、ポール１００に対するクリップ１０６の挟み具合を強めにすると都合がよい。また、前記ポール１００は、リング３０（８０）を安定させるという点からは角柱状が好ましいが、断面略円形など他の形状にすることを妨げるものではない。もちろん、挿通部１０４の形状は、前記ポール１００の断面形状に合わせて形成される。
【００４２】
(6)前記実施例では、袋５０の開口部５２がゴミ容器１４の縁に完全に折り曲げることができないような場合について説明したが、ゴミ容器１４よりも大きく高さのある袋５０についても、もちろん適用可能である。この場合、リング３０（８０）で折り返しする長さを多めに取ったり、開口部５２にクリップなどの留め具を設けて固定したりすると、より開口部５２が安定し使い勝手がよい。更に、前記クリップとして果物や動物などのデザインのものを使用すると、流し台１２のアクセントとなり、ゴミ容器１４のイメージがよくなる。このようなクリップは、袋５０の取り外し時には、一時的にポール２０（６２）などに留めておくと、紛失する心配がない。
【００４３】
また、袋５０の底面に複数の穴を設けると、水切り袋となるため、袋５０の脇（上部や中部）から底面に向けて押し絞れば、ゴミの空気が抜け、より多くのゴミを入れることができる。また、直接ゴミに手を触れることなく水分を押し絞ることができる。なお、平袋を使用する場合、袋がいっぱいになったときに取っ手（持ち手）がないため、開口部５２をリング３０（８０）で折り返す長さを多めに取らないと結び難い。このため、そのまま防水袋などに入れて捨てるようにしてもよいが、袋５０を使用する前に口部（縁）に切れ込みを設けることにより、使用後に結ぶことができ取り出しやすくなる。また、ゴミ容器１４に合うサイズの角袋（レジ袋など）を使用すると、ゴミがたまった後も結びやすく、更に、結びながら生ゴミを絞ることができ好都合である。
【００４４】
(7)前記実施例では、流し台１２の底面にゴミ容器１４を設置することとしたが、流し台１２のまわりに設置するなど、必要に応じて設置場所は任意に変更可能である。
【００４５】
(8)前記実施例では、ゴミ容器１４に対してホルダ２６（７０）を任意の手段で取り付けることとしたが、図５（Ｅ）に示すように、ゴミ容器１１０とホルダ１１２を一体に形成するようにしてもよい。ホルダ１１２には、ポールの形状に応じた中空部１１４が設けられる。本例のようにホルダ１１２とゴミ容器１１０を一体化しておけば、ホルダ１１２が外れたり、ポールが斜めになったりする恐れがなく、ポールの取り付け作業なども容易に行うことができる。
【００４６】
(9)前記実施例を組み合わせるようにしてもよい。例えば、前記実施例１のポール２０を、図５（Ｂ）に示す機構で段階的に高さ調節するようにしてもよいし、同図（Ｃ）に示すようにクリップ５８で挟み、立設・高さ調節するようにしてもよい。また、実施例１のスライダ３６も、図４（Ｂ）及び（Ｃ）に示すスライダ８８（８９）にしてもよい。
【産業上の利用可能性】
【００４７】
本発明によれば、ゴミ容器の側面に設けたホルダによって、前記ゴミ容器を設置する流し台などの略水平面に対して略垂直となるように略棒状の支持体を取り付け、該支持体に、流し台などの水平面に対して略水平となるように略環状の保持手段を設けることとした。そして、前記保持手段の縁に、袋の開口部を内側から外側へ折り曲げて保持させることとしたので、流し台などの略水平面に設置されるゴミ容器用の袋を保持する用途に適用できる。
【図面の簡単な説明】
【００４８】
【図１】本発明の実施例１を示す図であり、（Ａ）は本実施例の構造を示す分解斜視図，（Ｂ）は使用状態を示す図である。
【図２】前記実施例１を示す図であり、（Ａ）はリングの口径調節の様子を示す平面図，（Ｂ）及び（Ｃ）は仮収納の様子を示す図である。
【図３】本発明の実施例２を示す図であり、（Ａ）は本実施例の主要部を示す斜視図，（Ｂ）はリングの固定機構を示す図，（Ｃ）は前記（Ａ）を矢印Ｆ７方向からみた平面図である。
【図４】前記実施例２の変形例を示す図である。
【図５】本発明の他の実施例を示す図である。
【符号の説明】
【００４９】
１０・・・袋保持具
１２・・・流し台
１４・・・ゴミ容器
１６Ａ〜１６Ｃ・・・側面
１８・・・縁
２０・・・ポール
２２・・・上端
２４・・・下端
２５・・・凸部
２６・・・ホルダ
２７・・・凹部
２８・・・接着剤
３０・・・リング
３０Ａ・・・上縁
３０Ｂ・・・下縁
３２，３３・・・端部
３４・・・押え具
３６・・・スライダ
４０・・・取付具
４２・・・挿通部
４４・・・把持部
４６・・・ピン
４８・・・受部
５０，５４・・・ゴミ袋（袋）
５２・・・開口部
５６・・・ペットボトル
５８・・・クリップ
５９・・・ポール
６０・・・袋保持具
６２・・・ポール
６３・・・上端
６４・・・下端
６６・・・凸部
６８・・・係止面
７０・・・ホルダ
７２・・・窓
７４・・・上端
８０・・・リング
８２，８４・・・端部
８３・・・当接面
８５・・・押え具
８６・・・スライダ
８８，８９・・・スライダ
８８Ａ・・・つまみ
９０・・・取付具
９２・・・挿通部
９４・・・把持部
９６・・・ピン
９８・・・受部
１００・・・ポール
１０２・・・取付具
１０４・・・挿通部
１０６・・・クリップ
１１０・・・ゴミ容器
１１２・・・ホルダ
１１４・・・中空部
【図１】
2005035752.tif 000003
【図２】
2005035752.tif 000004
【図３】
2005035752.tif 000005
【図４】
2005035752.tif 000006
【図５】
2005035752.tif 000007